(57)【要約】      （修正有）【課題】インクカートリッジからペン先に適度な量のインクを供給する構成を堤供する。【解決手段】インクカートリッジ２と、このインクカートリッジからインクの供給を受けるペン先５と、これらインクカートリッジとペン先との間に設けられる中綿６と、この中綿に挿入されインクカートリッジ内のインクをその中綿を介してペン先に供給するための供給管７とを備え、供給管本体７１が、ペン先側端面に中綿に挿入されることによって中綿の繊維を圧縮させて繊維密度が高い部位を部分的に形成させるための突出部７１ａを有するとともに、供給路７１ｃのペン先側の開口端が突出部から非突出部７１ｂに亘って開口している構成とする。【選択図】図４
2014054777.tif 000002
【特許請求の範囲】
【請求項１】
内部にインクを貯蔵可能なインクカートリッジと、このインクカートリッジの一部を内部に収納可能な胴部と、この胴部に支持されインクカートリッジからインクの供給を受けるペン先と、これらインクカートリッジとペン先との間に設けられる中綿と、この中綿に挿入され前記インクカートリッジ内のインクをその中綿を介して前記ペン先に供給するための供給管とを備え、この供給管が、ペン先側が前記中綿に挿入される一本の供給管本体を有し、この供給管本体が、ペン先側端面に中綿に挿入されることによって該中綿の繊維を圧縮させて繊維密度が高い部位を部分的に形成させるための突出部を有するとともに、内部にインク及び空気を流通させるための一本の供給路を有し、この供給路のペン先側の開口端が前記突出部から非突出部に亘って開口していることを特徴とする筆記具。
【請求項２】
前記供給管のペン先側端部の幅方向中央に前記突出部を有する請求項１記載の筆記具。
【請求項３】
前記供給管のペン先側端部が、幅方向中央に向かうにつれペン先側に向かう傾斜を有する請求項２記載の筆記具。
【請求項４】
前記供給管が扁平な形状を有する請求項１、２又は３記載の筆記具。
【請求項５】
前記胴部の内周に、長手方向に延伸し前記ペン先を保持するペン先保持リブ、及び長手方向に延伸し前記中綿を保持する中綿保持リブを有し、前記胴部と前記ペン先保持リブとの間の空間及び前記胴部と前記中綿保持リブとの間の空間を空気が流通可能な空気流通路としている請求項１、２、３又は４記載の筆記具。
【請求項６】
インクカートリッジに設けた雄ねじを供給管に設けた雌ねじに螺合させることによりインクカートリッジと供給管とを接続するようにしている筆記具であって、前記供給管が前記中綿保持リブと係合可能な回り止め凹部を有する請求項５記載の筆記具。
【発明の詳細な説明】
【技術分野】
【０００１】
本発明は、インクを内部に収納してなるインクカートリッジを備えた筆記具に関する。
【背景技術】
【０００２】
従来、内部にインクを貯蔵可能なインクカートリッジと、このインクカートリッジからインクの供給を受けるペン先と、これらインクカートリッジとペン先との間に設けられる中綿とを備えた筆記具において、カートリッジ内部からペン先へのインクの供給手段、及びカートリッジ内部への空気の供給手段が種々知られている。例えば、カートリッジと中綿との間に、インクを中綿に供給するための大径管及び空気をカートリッジ内部に供給するための小径管を内部に有する供給管を配する態様が知られている（例えば、特許文献１を参照）。
【０００３】
ところで、特許文献１記載の構成では、インクを中綿に供給するための大径管と空気をカートリッジ内部に供給するための小径管とを供給管の内部に設けているが、この小径管が何らかの原因で詰まると空気がカートリッジ内部に供給されず、空気と入れ替わってカートリッジ内部から新たなインクが供給されなくなるので、引き続き筆記を行うことができなくなるという不具合が発生しうる。
【０００４】
そこで、このような筆記具において、出願人は、供給管がペン先側が前記中綿に挿入される一本の供給管本体を有し、この供給管本体の内部にインク及び空気を流通させるための一本の供給路を有する構成を採用することを考案したが、このような構成を採用するにあたって、供給管のペン先側の形状により種々の不具合が発生していた。すなわち、供給管のペン先側端面がペン先の延伸方向に垂直な形状である場合、供給管を中綿に挿入しにくく、また、中綿の前記供給管が挿入された部位近傍では中綿と供給管とが接する部位の全域にわたって繊維が大幅に圧縮されて繊維の密度が高くなるため、インクがこの繊維の密度が高い部位に留まって中綿と供給管とが接する部位の全域にわたってインクだまりが形成され、このインクだまりにインクが留まりインクがペン先側に達しにくいという不具合が発生していた。一方、供給管を中綿に挿入しやすくすべく、供給管のペン先側端面がペン先の延伸方向に対して鋭角を形成する形状である場合、この種の筆記具に多く用いられる中綿は繊維がほぼペン先方向に向かって延伸するものであり、中綿の前記供給管が挿入された部位近傍でも繊維がほぼペン先方向に向かって延伸するので、インクが中綿に留まることなくペン先側に達し、インクと入れ替わりに空気がインクカートリッジに供給されるので、インクの消費が激しくなるという別の不具合が発生する。
【先行技術文献】
【特許文献】
【０００５】
【特許文献１】実開昭５８−１９２０８２号公報
【発明の概要】
【発明が解決しようとする課題】
【０００６】
本発明は以上の点に着目し、内部にインクを貯蔵可能なインクカートリッジと、このインクカートリッジからインクの供給を受けるペン先と、これらインクカートリッジとペン先との間に設けられる中綿と、この中綿に挿入され前記インクカートリッジ内のインクをその中綿を介して前記ペン先に供給するための供給管とを備え、この供給管が、ペン先側が前記中綿に挿入される一本の供給管本体を有する筆記具において、インクカートリッジからペン先に適度な量のインクを供給する構成を実現することを目的とする。
【課題を解決するための手段】
【０００７】
以上の課題を解決すべく、本発明に係る筆記具は、以下に述べるような構成を有する。すなわち本発明に係る筆記具は、内部にインクを貯蔵可能なインクカートリッジと、このインクカートリッジを内部に収納可能な胴部と、この胴部に支持されインクカートリッジからインクの供給を受けるペン先と、これらインクカートリッジとペン先との間に設けられる中綿と、この中綿に挿入され前記インクカートリッジ内のインクをその中綿を介して前記ペン先に供給するための供給管とを備え、この供給管が、ペン先側が前記中綿に挿入される一本の供給管本体を有し、この供給管本体が、ペン先側端面に中綿に挿入されることによって該中綿の繊維を圧縮させて繊維密度が高い部位を部分的に形成させるための突出部を有するとともに、内部にインク及び空気を流通させるための一本の供給路を有し、この供給路のペン先側の開口端が前記突出部から非突出部に亘って開口している。
【０００８】
このような構成によれば、インクが供給されると、繊維密度が高い部位を核としてインクだまりが形成され、供給路の開口端から空気が流入してインクカートリッジ内に導かれることが抑制される。そのため、無制限なインクの流出が抑制される。筆記によって中綿に浸透しているインクが消費されインクだまりが縮小すると、非突出部付近からの供給路内への空気の流入が可能となり、インクカートリッジから中綿に適度な量のインクが供給され、引き続いて筆記を行うことができる。
【０００９】
このような筆記具の供給管の具体的な形状の一例として、前記供給管のペン先側端部の幅方向中央に前記突出部を有するものが挙げられる。
【００１０】
また、このような筆記具において、中綿に供給管を挿入しやすくするためには、前記供給管のペン先側端部が、幅方向中央に向かうにつれペン先側に向かう傾斜を有するものが望ましい。
【００１１】
繊維が圧縮されてペン先方向に垂直な方向に延伸する成分の密度が高くなる部位を形成しやすくするためには、前記供給管が扁平な形状を有するものが望ましい。
【００１２】
外観を損なうことなくペン先側とインクカートリッジ内部との間の空気を流通させることができるようにするための構成の一例として、前記胴部の内周に、長手方向に延伸し前記ペン先を保持するペン先保持リブ、及び長手方向に延伸し前記中綿を保持する中綿保持リブを有し、前記胴部と前記ペン先保持リブとの間の空間及び前記胴部と前記中綿保持リブとの間の空間を空気が流通可能な空気流通路としているものが挙げられる。
【００１３】
カートリッジに設けた雄ねじを供給管に設けた雌ねじに螺合させることによりカートリッジと供給管とを接続するようにしているとともに、胴部に上述したような中綿保持リブを有する筆記具において、胴部と供給管との間の位置決めを行い、カートリッジの着脱を安定して行うことができるようにするための構成として、前記供給管が前記中綿保持リブと係合可能な回り止め凹部を有するものが挙げられる。
【発明の効果】
【００１４】
本発明によれば、インクカートリッジからペン先に適度な量のインクを供給する構成を実現することができる。
【図面の簡単な説明】
【００１５】
【図１】本発明の一実施形態に係る筆記具の全体斜視図。
【図２】同実施形態に係る筆記具の正面図。
【図３】同実施形態に係る筆記具の中央正断面図。
【図４】同実施形態に係る筆記具の中央平断面図。
【図５】図４におけるＸ−Ｘ断面図。
【図６】図４におけるＹ−Ｙ断面図。
【図７】同実施形態に係る筆記具の分解斜視図。
【図８】同実施形態に係る筆記具の要部の分解斜視図。
【図９】同実施形態に係る筆記具の要部の分解平断面図。
【図１０】同実施形態に係る筆記具の分解平断面図。
【図１１】同実施形態に係る筆記具のインク及び空気の流通経路を示す図。
【図１２】同実施形態に係る筆記具のインク及び空気の流通経路を示す図。
【図１３】本発明の他の実施形態に係る供給管を示す概略図。
【発明を実施するための形態】
【００１６】
本発明の一実施形態について、図１〜図１２を参照しつつ以下に示す。
【００１７】
本実施形態の筆記具１は、ホワイトボードマーカーとして好適に用いられるもので、図１〜図４及び図７に示すように、先端部にペン先５を支持させてなる筆記具本体と、この筆記具本体に螺着され内部にインクを貯蔵可能なインクカートリッジ２と、このインクカートリッジ２を被覆可能であり筆記具本体に螺着されるカバー３とを備えている。前記筆記具本体は、先端部にペン先５を支持させてなり前記インクカートリッジ２の一部を内部に収納可能な胴部４と、この胴部４の内部に収納してなり前記インクカートリッジ２と前記ペン先５との間に設けられる中綿６と、前記インクカートリッジ２内のインクをその中綿６を介して前記ペン先５に供給するための供給管７とを備えている。また、この筆記具１は、筆記具として使用しない際にペン先５を被覆しておくための胴部４に対して着脱可能なキャップ８も備えている。
【００１８】
前記インクカートリッジ２は、図３、図４、図８及び図１０に示すように、内部にインクを貯蔵可能で先端側に向かって開口するカートリッジ本体２１と、このカートリッジ本体２１の開口を閉塞可能な蓋体２２とを備えている。前記カートリッジ本体２１は、ペン先５寄りの部位に鍔部２１１を有し、この鍔部２１１からペン先５と反対側に向かって駆動突起２１２を有する。また、このカートリッジ本体２１には、前記供給管７に設けた雌ねじ７４に螺合可能な雄ねじ２１３が設けられている。すなわち、供給管７に設けた雌ねじ７４にインクカートリッジ２の雄ねじ２１３を螺合させることにより供給管７にインクカートリッジ２が螺着される。そして、このカートリッジ本体２１の内部には、蓋体２２を係止しておくための第１及び第２の蓋係止リブ２１４、２１５を設けている。これら第１及び第２の蓋係止リブ２１４、２１５は、いずれもカートリッジ本体２１の内面においてそれぞれ周方向に延びるとともに間欠的に複数設けている。一方、前記蓋体２２は、カートリッジ本体２１内部にインクを満たした状態のインクカートリッジ２単体で流通している際には、図１０に示すようにカートリッジ本体２１の第１及び第２の蓋係止リブ２１４、２１５の間に配された状態で該カートリッジ本体２１の開口を閉塞している。ここで、蓋体２２と第１の蓋係止リブ２１４との間、及び蓋体２２と第２の蓋係止リブ２１５との間には、クリアランスが設けられている。この蓋体２２は、該カートリッジ本体２１の前記雄ねじ２１３を前記供給管７に設けた雌ねじ７４に螺合させて取り付ける際に、前記供給管７に設けた蓋開けリブ７５に衝き当たって移動し、図３及び図４に示すように該カートリッジ本体２１の開口を開放する。そして、このインクカートリッジ２は、筆記具１を使用する際にはカバー３により被覆されている。
【００１９】
前記カバー３は、図１〜図４、図７、図８及び図１０に示すように、略円筒形をなし、先端側には胴部４に設けた雌ねじ４４に螺合可能な雄ねじ３１を有するとともに、基端部は半球状をなしている。すなわち、胴部４に設けた雌ねじ４４にカバー３の雄ねじ３１を螺合させることにより胴部４にカバー３が螺着される。また、このカバー３の先端面には、前記インクカートリッジ２の駆動突起２１２と凹凸係合可能な駆動凹部３２を設けている。この駆動凹部３２は、胴部４にカバー３を螺着させるべく胴部４に設けた雌ねじに前記雄ねじ３１を螺合させる際に前記駆動突起２１２を押圧して螺着操作力をインクカートリッジ２に伝達するための起立面３２ａと、胴部４からカバー３を離脱させるべく胴部４に設けた雌ねじ４４と前記雄ねじ２１３との螺合を解除させる際に離脱操作力をインクカートリッジ２に伝達せず前記駆動突起２１２から離間する方向に案内するためのカム面３２ｂとを備えている。すなわち、前記駆動突起２１２と前記駆動凹部３２とは、このカバー３を前記筆記具本体を構成する胴部４に螺着させる際にその螺着操作力を前記インクカートリッジ２に伝達して該インクカートリッジ２をも前記筆記具本体を構成する供給管７に螺着させ、前記カバー３を前記筆記具本体から離脱させるための離脱操作力は前記インクカートリッジ２に伝達しない機能を備えた連動機構を構成している。
【００２０】
前記ペン先５は、上述したように、また、図３〜図５に示すように、前記筆記具本体を構成する胴部４の先端部に内周に設けたペン先保持リブ４２によって保持され、この種の筆記具１に用いられるペン先５として周知のものと同様の構成を有する。また、このペン先５と前記ペン先保持リブ４２との間には、図５、図１１及び図１２に示すように、空気を流通可能にすべく空気流通路９１を設けている。
【００２１】
前記胴部４は、図１〜図１０に示すように、略円筒状をなし、一端部に前記ペン先５を支持するための他の部位と比較して小径なペン先支持部４１を有する。このペン先支持部４１の内面には、図３〜図５に示すように、それぞれ９０°ずつ周方向に離間する４本のペン先保持リブ４２を設けており、このペン先保持リブ４２がペン先５を保持する。また、この胴部４の前記ペン先支持部４１に隣接する部位の内面には、図３、図４及び図６に示すように、それぞれ４５°ずつ周方向に離間する８本の中綿保持リブ４３を設けており、この中綿保持リブ４３が中綿６を保持する。これら中綿保持リブ４３のうち４本は、前記ペン先保持リブ４２と略連続しており、他の４本のリブと比較して長尺である。また、この胴部４のペン先支持部４１と反対側の端部の内面には、図３、図４、図７、図８及び図１０に示すように、前述したカバー３の雄ねじ３１と螺合させてこのカバー３を胴部４に取り付けるための雌ねじ４４を設けている。加えて、この胴部４と前記カバー３との間には、これらを位置決めするための位置決め部を設けている。この位置決め部は、胴部４の雌ねじ４４のねじ山の一部を切り欠いて設けた位置決め凹部４５と、カバー３の雄ねじ３１のねじ山から連続させて設けられ前記位置決め凹部４５に係合可能な位置決め突起３３とを係合させてなる。
【００２２】
前記中綿６は、この種の筆記具１に用いられる中綿６として周知のものと同様の構成を有する。すなわち、図３、図４及び図６に示すように、この筆記具１の長手方向に延伸する多数の繊維からなる中綿本体６１と、この中綿本体６１を内部に収納する樹脂製の中綿カバー６２とを備えている。この中綿６は、図６に示すように、胴部４の内部に挿入された状態で該胴部４の中綿保持リブ４３によって保持されている。これら中綿６と中綿保持リブ４３との間にも、図６、図１１及び図１２に示すように、空気を流通可能にすべく空気流通路９２を設けている。前記中綿本体６１は、ポリエステル繊維により構成していて、容積比で全体の約７．４０％を繊維が占める、換言すれば容積比で全体の約９２．６０％を気孔が占める。また、前記中綿カバー６２は、ポリプロピレンフィルムにより構成されていて、通気性を有さず、インクを内部から外部に通す機能も有さない。そして、この中綿６の長手方向両端から、ペン先５及び供給管７がそれぞれこの中綿６の内部に挿入される。
【００２３】
前記供給管７は、図２〜図４及び図７〜図１０に示すように、ペン先５側が前記中綿６に挿入される一本の供給管本体７１と、この供給管本体７１の外方に設けられ該供給管本体７１と前記インクカートリッジ２とを接続するための外筒体７２とを備えている。この供給管本体７１は、ペン先５側端面に中綿６に挿入されることによって該中綿６の繊維を圧縮させて繊維密度が高い部位を部分的に形成させるための突出部７１ａを有するとともに、内部にインク及び空気を流通させるための一本の供給路７１ｃを有する。この供給路７１ｃのペン先５側の開口端は、前記突出部７１ａから非突出部７１ｂに亘って開口している。また、この供給管本体７１は、横断面形状が楕円形をなしている。一方、前記外筒体７２のペン先５側には、前記胴部４の長尺な中綿保持リブ４３と係合してこの供給管７の回り止めを行うための回り止め凹部７２ａを設けている。さらに、前記外筒体７２のペン先５と反対側の端部の内方には内壁７３を設けていて、この内壁７３と前記外筒体７２との間に前記インクカートリッジ２の先端部を挿入するようにしている。また、この供給管７のペン先５と反対側の端部の内面には、前記インクカートリッジ２の雄ねじ２１３と螺合させてこのインクカートリッジ２を供給管７に取り付けるための雌ねじ７４を設けているとともに、前記蓋体２２に衝き当たって蓋体２２を押圧して開放させるための蓋開けリブ７５を設けている。そして、このペン先５と反対側の端部は隣接する部位と比較して小径となっており、この端部と前記胴部４に設けた突条４６とが係り合うことによりこの供給管７の抜け止めを図るようにしている。
【００２４】
ここで、中綿６と供給管７の突出部７１ａとが接する箇所及びその近傍では中綿６の繊維が圧縮されており、上述したように、この箇所での中綿６の繊維の密度が高くなる。この状態でインクカートリッジ２を供給管７に取り付けると、インクはインクカートリッジ２から供給管７を経て中綿６に導かれ、図１１に示すように中綿６と供給管７の突出部７１ａとが接し繊維の密度が高くなった箇所及びその近傍にインクがたまった箇所（以下、インクだまりＸと称する）が形成される一方、このインクだまりＸからペン先５にインクが導かれ、筆記具１として使用可能となる。この状態では、ペン先５側から前記空気流通路９１、９２及び中綿本体６１の内部を経たインクカートリッジ２内への空気の流通は、図１１の矢印Ａに示すように、前記インクだまりＸにより妨げられる。なお、本実施形態の構成では、ペン先５側を密封し５００ｍｍＨｇまで減圧しても、ペン先５からのインクの漏れは即座には発生しなかった。換言すれば、ペン先５側を密封し５００ｍｍＨｇまで減圧しても、前記インクだまりＸを越えたペン先５側とインクカートリッジ２内との間の空気の流れは発生せず、又はこの空気の流れが制限された。その後、筆記を行うことにより前記インクだまりＸからペン先５にインクが導かれてインクが消費されると、このインクだまりＸ中のインクが減少し、すなわちこのインクだまりＸが縮小し、前記供給管７の非突出部７１ｂ、より具体的には該供給管７先端の幅方向両端部と中綿６とが接する部位に、図１２の矢印Ａに示すように、空気を流通させるための経路が形成される。この経路を経てインクカートリッジ２内に空気が供給され、この空気と入れ替わって新たなインクがインクカートリッジ２から供給されることにより、引き続き筆記が可能となる。
【００２５】
すなわち本実施形態によれば、供給管７に突出部７１ａを設けているので、この突出部７１ａが中綿６に挿入されることによって該中綿の圧縮密度を部位ごとに異ならせることができる。詳述すれば、中綿６と供給管７の前記突出部７１ａとが接する部位及びその近傍で繊維が圧縮されてペン先５方向に垂直な方向に延伸する成分の密度が高くなることにより前記インクだまりＸが形成される一方、筆記が行われインクだまりＸにたまったインクが消費されると、ペン先５側からこの部位を経由してインクカートリッジ２内に空気が流通可能となり、中綿６に適度な量のインクが新たに供給されて引き続いて筆記を行うことができる。
【００２６】
前記供給管７のペン先５側端部の幅方向中央に前記突出部７１ａを設けているので、前記インクだまりＸをこの筆記具の長手方向と直交する方向に効果的に拡散させることができる。
【００２７】
前記供給管７のペン先５側端部が、幅方向中央に向かうにつれペン先５側に向かう傾斜を有するので、中綿６に供給管７を挿入しやすい。
【００２８】
前記供給管７が扁平な形状、より具体的には楕円形状を有するので、中綿６の繊維が圧縮されてペン先５方向に垂直な方向に延伸する成分の密度が高くなる部位すなわちインクだまりＸとなるべき部位を形成しやすい。
【００２９】
前記胴部４の内周に、長手方向に延伸し前記ペン先５を保持するペン先保持リブ４２及び長手方向に延伸し前記中綿６を保持する中綿保持リブ４３を有し、前記胴部４と前記ペン先保持リブ４２との間の空間及び前記胴部４と前記中綿保持リブ４３との間の空間を空気が流通可能な空気流通路９１、９２としているので、外観を損なうことなくペン先５側とインクカートリッジ２内部との間の空気を流通させることができる。
【００３０】
インクカートリッジ２に設けた雄ねじ２１３を供給管７に設けた雌ねじ７４に螺合させることによりインクカートリッジ２と供給管７とを接続するようにしており、前記供給管７が中綿保持リブ４３と係合可能な回り止め凹部７２ａを有するので、これら胴部４と供給管７との間の周方向の位置決めを行うとともに、インクカートリッジ２の供給管７への着脱の際に供給管７がインクカートリッジ２につられて回動することがなく、着脱作業を安定して行うことができる。
【００３１】
なお、本発明は上述した実施形態に限らない。
【００３２】
例えば、上述した実施形態では、供給管本体７１を横断面視楕円形状とし、長径方向中央に突出部を設けているが、例えば、図１３の（ａ）に示すように、供給管本体Ａ７１の中心軸を挟んで対称かつ長手方向中心に対して非対称な形状となるように２箇所に突出部Ａ７１ａを設け、その他の部位を非突出部Ａ７１ｂとしてもよい。また、同図の（ｂ）に示すように、供給管本体Ｂ７１の長径方向一端部に突出部Ｂ７１ａを設け、他端部に非突出部Ｂ７１ｂを設けてもよい。さらに、上述した実施形態では、供給管本体７１のペン先５側の端面が突出部７１ａに向かうにつれペン先５側に向かう傾斜を有するが、同図の（ｃ）に示すように、供給管本体Ｃ７１のペン先側の端面の長手方向中央に突出部Ｃ７１ａを設け、この突出部Ｃ７１ａと非突出部Ｃ７１ｂの間に段部Ｃ７１ｃを有する形状を採用してもよい。加えて、同図の（ｄ）に示すように、供給管本体Ｄ７１の長径方向両端部に突出部Ｄ７１ａを設け、供給管本体Ｄ７１の長径方向中央部に非突出部Ｄ７１ｂを設けるようにしてもよい。さらに、同図の（ｅ）に示すように、供給管本体Ｅ７１の長径方向中央に突出部Ｅ７１ａを設け、長径方向両端部の非突出部Ｅ７１ｂとの間を曲線的に接続するようにしてもよい。
【００３３】
また、上述した実施形態では、供給管本体の横断面形状を楕円形状としているが、供給管本体の横断面形状は、楕円形以外に種々の形状を採用してもよい。供給管本体の横断面形状の例として、真円形状や多角形状等の形状が挙げられる。
【００３４】
その他、本発明の趣旨を損ねない範囲で種々に変形してよい。
【符号の説明】
【００３５】
１…筆記具
２…インクカートリッジ
４…胴部
５…ペン先
６…中綿
７…供給管
７１ａ…突出部
７１ｂ…非突出部
７１ｃ…供給路
【図１】
2014054777.tif 000003
【図２】
2014054777.tif 000004
【図３】
2014054777.tif 000005
【図４】
2014054777.tif 000006
【図５】
2014054777.tif 000007
【図６】
2014054777.tif 000008
【図７】
2014054777.tif 000009
【図８】
2014054777.tif 000010
【図９】
2014054777.tif 000011
【図１０】
2014054777.tif 000012
【図１１】
2014054777.tif 000013
【図１２】
2014054777.tif 000014
【図１３】
2014054777.tif 000015